(57)【要約】【課題】ユーザーが誤って周波数を変更しても、サービス選局に必要な情報を取得する。【解決手段】放送受信装置は、周波数設定部（５３）と、識別子指定部（２０１、２０２）と、サービス情報取得部（５２）と、サービス情報が取得されたか否かを判定する判定部（２０３）と、サービスリストを生成する生成部（５４）とを備え、サービス情報が取得されなかったと判定された場合、サービス情報取得部は、いずれか一方が変更された周波数および識別子に基づいて選局された放送ストリームから、再度サービス情報を取得する。【選択図】図１
2019208099.tif 000002
【特許請求の範囲】
【請求項１】
デジタル放送を受信する放送受信装置であり、
前記デジタル放送の放送ストリームを受信するための周波数を設定する周波数設定部と、
前記放送ストリームを識別するための識別子を指定する識別子指定部と、
前記周波数および前記識別子に基づいて選局された前記放送ストリームから、前記放送ストリームに多重化され、かつ、サービス選局に必要な情報であるサービス情報を取得するサービス情報取得部と、
前記サービス情報取得部において、前記サービス情報が取得されたか否かを判定する判定部と、
前記サービス情報に基づいてサービスリストを生成する生成部とを備え、
前記判定部において前記サービス情報が取得されなかったと判定された場合、前記サービス情報取得部は、いずれか一方が変更された前記周波数および前記識別子に基づいて選局された前記放送ストリームから、再度前記サービス情報を取得する、
放送受信装置。
【請求項２】
前記周波数設定部は、デフォルト放送ストリームが伝送される周波数であるデフォルト周波数と、ユーザーによって設定された周波数とを設定可能である、
請求項１に記載の放送受信装置。
【請求項３】
前記判定部において前記サービス情報が取得されなかったと判定された場合、前記サービス情報取得部は、前記デフォルト周波数に変更された前記周波数に基づいて選局された前記放送ストリームから、再度前記サービス情報を取得する、
請求項２に記載の放送受信装置。
【請求項４】
前記識別子指定部は、デフォルト放送ストリームを識別するためのデフォルト識別子を指定可能であり、
前記判定部において前記サービス情報が取得されなかったと判定された場合、前記サービス情報取得部は、前記デフォルト識別子とは異なる識別子に変更された前記識別子に基づいて選局された前記放送ストリームから、再度前記サービス情報を取得する、
請求項１に記載の放送受信装置。
【請求項５】
前記デフォルト識別子とは異なる識別子に変更された前記識別子は、前記周波数から特定される前記放送受信装置における相対ストリーム番号のうち、最も小さい番号に対応する前記放送ストリームの識別子である、
請求項４に記載の放送受信装置。
【請求項６】
前記周波数における前記放送ストリームに関するＴＭＣＣ情報を取得するＴＭＣＣ情報取得部をさらに備え、
前記デフォルト識別子とは異なる識別子に変更された前記識別子は、前記ＴＭＣＣ情報に基づいて特定される前記放送ストリームの識別子である、
請求項４または請求項５に記載の放送受信装置。
【請求項７】
前記周波数設定部は、
前記放送ストリームを受信するための前記周波数を表示する周波数表示部と、
前記周波数表示部に表示された前記周波数の受信状態を表示する受信状態表示部とを備える、
請求項１から請求項６のうちのいずれか１項に記載の放送受信装置。
【発明の詳細な説明】
【技術分野】
【０００１】
本願明細書に開示される技術は、デジタル放送を受信する放送受信装置に関するものである。
【背景技術】
【０００２】
次世代のテレビジョン放送サービスとして、高度広帯域衛星デジタル放送の試験放送が開始されている。高度広帯域衛星デジタル放送では、映像、音声、データコンテンツおよび字幕などのコンポーネントがＭＰＥＧ  Ｍｅｄｉａ  Ｔｒａｎｓｐｏｒｔ（以下、ＭＭＴと称す）方式で多重化され、さらに、ＭＭＴ  Ｐｒｏｔｏｃｏｌ（以下、ＭＭＴＰと称す）パケット化されて伝送される。
【０００３】
ＭＭＴＰパケットはさらに、ＩＰパケット化されて伝送される。放送伝送路においては、ＩＰパケットはさらに、Ｔｙｐｅ  Ｌｅｎｇｔｈ  Ｖａｌｕｅ（以下、ＴＬＶと称す）パケット化されて伝送される。
【０００４】
高度広帯域衛星デジタル放送では、メディアデータを伝送する仕組みに加えて、さらに２つの制御情報が設けられている。１つは、放送番組の構成などを示す制御情報であるＭＭＴ−Ｓｅｒｖｉｃｅ  Ｉｎｆｏｒｍａｔｉｏｎ（以下、ＭＭＴ−ＳＩと称す）であり、もう１つは、サービス選局に必要な情報、または、ＩＰアドレスとサービスとの対応情報などを示すＴＬＶ−Ｓｅｒｖｉｃｅ  Ｉｎｆｏｒｍａｔｉｏｎ（以下、ＴＬＶ−ＳＩと称す）である。
【０００５】
ＭＭＴ−ＳＩは、ＭＭＴの制御メッセージ形式であり、ＭＭＴＰパケット化されて伝送される。一方で、ＴＬＶ−ＳＩは、ＴＬＶパケットの制御信号であり、ＴＬＶパケット化されて伝送される。
【０００６】
ＴＬＶストリームは、放送伝送路における伝送単位であり、ＴＬＶ＿ｓｔｒｅａｍ＿ｉｄと呼ばれる識別子によって識別されるＴＬＶパケットの系列である。
【０００７】
このような高度広帯域衛星デジタル放送を受信する放送受信装置は、購入設置時にデフォルトＴＬＶと呼ばれる特定のＴＬＶ＿ｓｔｒｅａｍ＿ｉｄで識別されるＴＬＶストリームを選局して、サービス選局に必要な情報を取得する。そして、当該情報に基づいてサービスリストを生成し、さらに、放送受信装置に備えられる不揮発性メモリに当該サービスリストを保持する。
【０００８】
このデフォルトＴＬＶは、あらかじめデフォルトＴＬＶを伝送するための中継器と、対応するＴＬＶ＿ｓｔｒｅａｍ＿ｉｄとを定めておくものである。そのため、サービス選局に必要な情報が取得されていない状態であっても、当該中継器がデジタル放送信号を伝送する周波数において、デフォルトＴＬＶに対応するＴＬＶ＿ｓｔｒｅａｍ＿ｉｄを選局することによって、デフォルトＴＬＶを受信することができる。
【０００９】
従来の高度広帯域衛星デジタル放送を受信する放送受信装置においては、放送衛星などが機能しない場合などを考慮して、別の中継器からデフォルトＴＬＶを伝送することができるように、デフォルトＴＬＶを受信するための周波数を手動で変更することができるものがあった（たとえば、非特許文献１参照）。
【先行技術文献】
【非特許文献】
【００１０】
【非特許文献１】一般社団法人電波産業会、「ＡＲＩＢ標準規格  高度広帯域衛星デジタル放送運用規定  規格番号  ＡＲＩＢ  ＳＴＤ−Ｂ３９  １．６版」、平成３０年１月２２日改定、２−１１頁、２−２９頁、インターネット＜ＵＲＬ：ｈｔｔｐｓ：／／ｗｗｗ．ａｒｉｂ．ｏｒ．ｊｐ／ｋｉｋａｋｕ／ｋｉｋａｋｕ＿ｈｏｓｏ／ｓｔｄ−ｂ３９．ｈｔｍｌ＞
【発明の概要】
【発明が解決しようとする課題】
【００１１】
しかしながら、従来の放送受信装置では、デフォルトＴＬＶを受信するための周波数を手動で変更することができるように構成されているため、ユーザーが誤ってデフォルトＴＬＶを受信するための周波数を変更してしまうと、変更された周波数ではデフォルトＴＬＶおよび対応するＴＬＶ＿ｓｔｒｅａｍ＿ｉｄが伝送されておらず、結果として、サービス選局に必要な情報を取得することができなくなってしまうという問題があった。
【００１２】
本願明細書に開示される技術は、以上に記載されたような問題を解決するためになされたものであり、ユーザーが誤ってデフォルトＴＬＶを受信するための周波数を変更してしまった場合であっても、サービス選局に必要な情報を取得することができる技術を提供することを目的とするものである。
【課題を解決するための手段】
【００１３】
本願明細書に開示される技術の第１の態様は、デジタル放送を受信する放送受信装置であり、前記デジタル放送の放送ストリームを受信するための周波数を設定する周波数設定部と、前記放送ストリームを識別するための識別子を指定する識別子指定部と、前記周波数および前記識別子に基づいて選局された前記放送ストリームから、前記放送ストリームに多重化され、かつ、サービス選局に必要な情報であるサービス情報を取得するサービス情報取得部と、前記サービス情報取得部において、前記サービス情報が取得されたか否かを判定する判定部と、前記サービス情報に基づいてサービスリストを生成する生成部とを備え、前記判定部において前記サービス情報が取得されなかったと判定された場合、前記サービス情報取得部は、いずれか一方が変更された前記周波数および前記識別子に基づいて選局された前記放送ストリームから、再度前記サービス情報を取得する。
【発明の効果】
【００１４】
本願明細書に開示される技術の第１の態様は、デジタル放送を受信する放送受信装置であり、前記デジタル放送の放送ストリームを受信するための周波数を設定する周波数設定部と、前記放送ストリームを識別するための識別子を指定する識別子指定部と、前記周波数および前記識別子に基づいて選局された前記放送ストリームから、前記放送ストリームに多重化され、かつ、サービス選局に必要な情報であるサービス情報を取得するサービス情報取得部と、前記サービス情報取得部において、前記サービス情報が取得されたか否かを判定する判定部と、前記サービス情報に基づいてサービスリストを生成する生成部とを備え、前記判定部において前記サービス情報が取得されなかったと判定された場合、前記サービス情報取得部は、いずれか一方が変更された前記周波数および前記識別子に基づいて選局された前記放送ストリームから、再度前記サービス情報を取得するものである。このような構成によれば、ユーザーが誤って周波数を変更してしまったとしても、いずれか一方が変更された周波数および識別子に基づいて選局された放送ストリームから、再度サービス情報を取得することができる。そのため、ユーザーの利便性が向上する。
【００１５】
本願明細書に開示される技術に関する目的と、特徴と、局面と、利点とは、以下に示される詳細な説明と添付図面とによって、さらに明白となる。
【図面の簡単な説明】
【００１６】
【図１】実施の形態に関する、放送受信装置の概念的な構成の例をさらに具体的に示す図である。
【図２】ユーザーによって設定されたデフォルトＴＬＶを受信するための周波数で何らかのＴＬＶストリームが伝送されていることを確認することができる、周波数情報設定画面の構成の例を示す図である。
【図３】実施の形態に関する、購入設置時の処理におけるサービスリスト生成処理の例を示すフローチャートである。
【図４】図１に例示される放送受信装置の制御部を実際に運用する場合のハードウェア構成を概略的に例示する図である。
【図５】図１に例示される放送受信装置の制御部を実際に運用する場合のハードウェア構成を概略的に例示する図である。
【図６】実施の形態に関する、放送受信装置の構成の例を概念的に示す図である。
【発明を実施するための形態】
【００１７】
以下、添付される図面を参照しながら実施の形態について説明する。
【００１８】
なお、図面は概略的に示されるものであり、説明の便宜のため、適宜、構成の省略、または、構成の簡略化がなされるものである。また、異なる図面にそれぞれ示される構成などの大きさおよび位置の相互関係は、必ずしも正確に記載されるものではなく、適宜変更され得るものである。また、断面図ではない平面図などの図面においても、実施の形態の内容を理解することを容易にするために、ハッチングが付される場合がある。
【００１９】
また、以下に示される説明では、同様の構成要素には同じ符号を付して図示し、それらの名称と機能とについても同様のものとする。したがって、それらについての詳細な説明を、重複を避けるために省略する場合がある。
【００２０】
＜実施の形態＞
以下、本実施の形態に関する放送受信装置について説明する。
【００２１】
＜放送受信装置の構成について＞
図６は、本実施の形態に関する放送受信装置の構成の例を概念的に示す図である。
【００２２】
図６に例示されるように放送受信装置１６０は、制御部１５０を備える。そして、制御部１５０は、周波数設定部１５３と、識別子指定部１５４と、サービス情報取得部１５２と、判定部１６３と、生成部１５５とを備える。
【００２３】
周波数設定部１５３は、デジタル放送の放送ストリームを受信するための周波数を設定する。識別子指定部１５４は、放送ストリームを識別するための識別子を指定する。
【００２４】
サービス情報取得部１５２は、周波数および識別子に基づいて選局された放送ストリームから、放送ストリームに多重化され、かつ、サービス選局に必要な情報であるサービス情報を取得する。判定部１６３は、サービス情報取得部１５２において、サービス情報が取得されたか否かを判定する。
【００２５】
生成部１５５は、サービス情報に基づいてサービスリストを生成する。そして、判定部１６３においてサービス情報が取得されなかったと判定された場合、サービス情報取得部１５２は、いずれか一方が変更された周波数および識別子に基づいて選局された放送ストリームから、再度サービス情報を取得する。
【００２６】
図１は、本実施の形態に関する放送受信装置の概念的な構成の例をさらに具体的に示す図である。本実施の形態では、具体例として、高度広帯域衛星デジタル放送の放送受信装置について説明する。
【００２７】
図１に例が示されるように、放送受信装置６０は、チューナー部１０と、復調部２０と、データ分離部３０と、制御部５０と、映像復号部７０と、音声復号部７１と、グラフィックス重畳部８０と、映像出力部９０と、音声出力部９１とを備える。
【００２８】
また、制御部５０は、制御プログラムおよび各種設定データを保存する不揮発性メモリと、データ処理を行うための一時記憶メモリと、制御プログラムに基づいて処理を行うＣＰＵとを主に備える。制御機能の観点から見た場合には、制御部５０は、選局部５１と、周波数および識別子に基づいて選局された放送ストリームからサービス情報を取得するサービス情報取得部５２と、デジタル放送の放送ストリームを受信するための周波数を設定する周波数情報設定部５３と、サービスリスト生成部５４と、ユーザーインターフェイス部５５と、グラフィックス表示部５６とを備える。
【００２９】
ここで、サービス情報取得部５２は、サービス情報取得部１５２に対応する。また、周波数情報設定部５３は、周波数設定部１５３に対応する。
【００３０】
また、サービスリスト生成部５４は、サービス情報に基づいてサービスリストを生成する。サービスリスト生成部５４は、放送ストリームを識別するための識別子を指定する選局要求部２０１と、放送ストリームを識別するための識別子を指定する選局要求部２０２と、サービス情報取得部５２においてサービス情報が取得されたか否かを判定するチャンネル情報取得可否判定部２０３とを備える。また、選局部５１は、ＴＭＣＣ情報取得部２０４を備える。
【００３１】
ここで、選局要求部２０１および選局要求部２０２は、識別子指定部１５４に対応する。また、チャンネル情報取得可否判定部２０３は、判定部１６３に対応する。また、サービスリスト生成部５４におけるサービスリストを生成する機能は、生成部１５５に対応する。
【００３２】
以下においては、サービス選局に必要な情報が多重化されたあらかじめ定められた放送ストリームをデフォルトＴＬＶと称し、放送ストリームを識別するための識別子をＴＬＶ＿ｓｔｒｅａｍ＿ｉｄと称し、放送伝送装置を中継器と称して説明する場合がある。
【００３３】
本実施の形態に関する放送受信装置において、チューナー部１０は、放送波（ここでは、図示しない）を受信する。チューナー部１０は、選局部５１に制御されることによって、選局対象の周波数を選択し、さらに、当該周波数で伝送されるデジタル放送信号を出力する。なお、出力されたデジタル放送信号は、復調部２０に入力される。
【００３４】
復調部２０は、選局部５１に制御されることによって、伝送路符号化されたデジタル放送信号の誤り訂正処理および復調処理を行う。そして、復調部２０は、選局部５１によって設定された選局対象のＴＬＶ＿ｓｔｒｅａｍ＿ｉｄに対応するＴＬＶストリームを出力する。なお、出力された当該ＴＬＶストリームは、データ分離部３０に入力される。
【００３５】
データ分離部３０は、ＴＬＶストリームを映像データおよび音声データなどの各種データに分離する。分離された映像データは、映像復号部７０に入力されて復号される。また、分離された音声データは、音声復号部７１に入力されて復号される。
【００３６】
映像復号部７０において復号された映像信号は、グラフィックス重畳部８０へ入力される。そして、当該映像信号は、グラフィックス表示部５６が生成するグラフィックスを重畳して、映像出力部９０を介して、たとえば、映像表示装置（ここでは、図示しない）に出力される。
【００３７】
また、音声復号部７１において復号された音声信号は、音声出力部９１を介して、たとえば、音声出力装置（ここでは、図示しない）に出力される。
【００３８】
上記のデータ分離部３０は、ＴＬＶストリームをパケット分離する。これによってＴＬＶストリームは、ＴＬＶパケットの制御情報と、その他のデータとに分離される。なお、ＴＬＶパケットの制御情報には、ＴＬＶ−ＳＩが含まれる。
【００３９】
また、データ分離部３０は、ＴＬＶ−ＳＩをテーブルごとに分離するテーブルＩＤフィルターを備える。
【００４０】
そして、制御部５０におけるサービス情報取得部５２は、データ分離部３０のテーブルＩＤフィルターにおいてテーブルごとに分離されたＴＬＶ−ＳＩのうち、必要な情報を格納しているＴＬＶ−ＳＩテーブルを取得する。
【００４１】
これによって、サービス情報取得部５２は、サービス選局に必要な情報として、たとえば、ＴＬＶ−ＮＩＴ（ｎｅｔｗｏｒｋ  ｉｎｆｏｒｍａｔｉｏｎ  ｔａｂｌｅ）をデータ分離部３０から取得することができる。
【００４２】
なお、ＴＬＶ−ＮＩＴは、変調周波数その他伝送路の情報とサービスとを関連付ける情報を伝送する伝送制御信号である。
【００４３】
本実施の形態に関する放送受信装置は、サービス選局に必要な情報を取得するため、たとえば、リモートコントローラなどのユーザーインターフェイス機器（ここでは、図示しない）からの制御信号を、制御信号入力部（ここでは、図示しない）によって受信する。
【００４４】
制御信号入力部に入力された制御信号は、制御部５０におけるユーザーインターフェイス部５５に入力される。このようにして、ユーザーの操作に基づく制御を行うことができる。
【００４５】
購入設置時（すなわち、放送受診装置を最初に設置および設定する際）の処理は、工場出荷状態の放送受信装置が最初に起動されたときに自動的に開始してもよいし、ユーザーインターフェイス機器からの制御信号によって開始してもよい。
【００４６】
図３は、本実施の形態に関する、購入設置時の処理におけるサービスリスト生成処理の例を示すフローチャートである。
【００４７】
まず、選局要求部２０１は選局を要求する（ステップＳＴ１）。具体的には、サービスリスト生成部５４の選局要求部２０１は、周波数情報設定部５３に格納されている、デフォルトＴＬＶを伝送する中継器に対応する周波数としてあらかじめ定められた周波数（すなわち、デフォルト周波数）と、デフォルトＴＬＶに対応するＴＬＶ＿ｓｔｒｅａｍ＿ｉｄ（すなわち、デフォルトＴＬＶ＿ｓｔｒｅａｍ＿ｉｄ）とに基づく選局を、選局部５１に要求する。
【００４８】
これによって、チューナー部１０で周波数同期されたデジタル放送信号は、復調部２０へ入力され、復調部２０において当該デジタル放送信号に対して誤り訂正処理および復調処理が行われた後、ＴＬＶストリーム１０００としてデータ分離部３０に入力される。
【００４９】
次に、サービスリスト生成部５４は、ＴＬＶストリーム１０００からサービス選局に必要な情報をサービス情報取得部５２を介して取得する（ステップＳＴ２）。具体的には、サービスリスト生成部５４は、サービス情報取得部５２に対し、ＴＬＶストリーム１０００からのサービス選局に必要な情報の取得を要求する。そして、サービス情報取得部５２は、データ分離部３０に入力されたＴＬＶストリーム１０００から、サービス選局に必要な情報を取得する。
【００５０】
ここで、サービス選局に必要な情報としてＴＬＶストリーム１０００からＴＬＶ−ＮＩＴを取得する場合には、データ分離部３０はテーブルＩＤフィルターの機能を有するため、サービス情報取得部５２は、ＴＬＶ−ＮＩＴのテーブルＩＤを指定して、データ分離部３０にフィルター要求を行う。そして、データ分離部３０は、当該テーブルＩＤに対応するＴＬＶ−ＳＩテーブルをＴＬＶ−ＮＩＴとしてサービス情報取得部５２に提供する。このようにして、サービス情報取得部５２は、ＴＬＶストリーム１０００から、サービス選局に必要な情報を取得することができる。
【００５１】
次に、サービスリスト生成部５４は、ＴＬＶストリーム１０００からサービス選局に必要な情報をサービス情報取得部５２を介して取得することができたか否かを判定する（ステップＳＴ３）。具体的には、チャンネル情報取得可否判定部２０３によって、サービス選局に必要な情報、たとえば、ＴＬＶ−ＮＩＴが取得することができたか否かを判定する。
【００５２】
これは、サービス情報取得部５２が、データ分離部３０におけるＴＬＶストリーム１０００から所望の情報を取得することができたか否かによって判定する。取得することができなかったとする判定は、サービス情報取得部５２が、たとえば、ＴＬＶ−ＮＩＴの最大再送周期の２倍の時間を経過しても取得することができなかった場合に行うことができる。また、チューナー部１０または復調部２０が非同期状態であるときは、所望の情報を取得することができないと判定することができる。
【００５３】
サービス選局に必要な情報が取得することができた場合は、サービスリスト生成部５４は、サービスリストを生成する（ステップＳＴ７）。一方で、サービス選局に必要な情報が取得することができなかった場合は、サービスリスト生成部５４の選局要求部２０２が、再び選局を要求する（ステップＳＴ４）。
【００５４】
ここで、選局要求部２０１の要求によって、デフォルトＴＬＶに対応するデフォルトＴＬＶ＿ｓｔｒｅａｍ＿ｉｄが適切に選局された場合は、データ分離部３０からサービス選局に必要な情報を取得することができる。そのため、高度広帯域衛星デジタル放送を選局するためのサービスリストを生成することができる。
【００５５】
一方で、非特許文献１などによると、デフォルトＴＬＶを受信するための周波数を手動で変更することができるようにすることが求められている。これは、たとえば、周波数情報設定部５３に格納された周波数を、Ｇｒａｐｈｉｃａｌ  Ｕｓｅｒ  Ｉｎｔｅｒｆａｃｅ（以下、ＧＵＩと称す）などによって変更することが想定される。
【００５６】
このように、デフォルトＴＬＶを受信するための周波数を手動で変更する場合、デフォルトＴＬＶを伝送している周波数とは異なる周波数が、デフォルトＴＬＶを受信するための周波数として設定されることとなる。
【００５７】
そのため、上記の周波数変更がなされた状態で選局要求部２０１の要求によって選局する場合、そもそも当該周波数でデジタル放送信号が送出されていない、または、当該周波数で伝送されるデジタル放送信号にはデフォルトＴＬＶおよび対応するデフォルトＴＬＶ＿ｓｔｒｅａｍ＿ｉｄが含まれていない、といった事態が生じ得る。
【００５８】
そのような場合には、選局対象のＴＬＶストリーム１０００をデータ分離部３０に入力することができないため、サービスリスト生成部５４が、サービス情報取得部５２を介してサービス選局に必要な情報を取得することができない。
【００５９】
そこで、本実施の形態に関する放送受信装置のサービスリスト生成処理においては、このようにＴＬＶストリームからサービス選局に必要な情報を取得することができなかった場合に、さらに、選局要求部２０２の要求で選局する（ステップＳＴ４）。
【００６０】
具体的には、サービスリスト生成部５４の選局要求部２０２は、選局要求部２０１の要求によって選局された周波数およびＴＬＶ＿ｓｔｒｅａｍ＿ｉｄとは、いずれか一方が異なる組み合わせの周波数およびＴＬＶ＿ｓｔｒｅａｍ＿ｉｄを用いる選局を、選局部５１に要求する。
【００６１】
さらに、サービスリスト生成部５４は、選局要求部２０２の要求によって選局した結果データ分離部３０に入力されるＴＬＶストリーム１００１から、サービス選局に必要な情報をサービス情報取得部５２を介して取得する（ステップＳＴ５）。
【００６２】
そして、サービスリスト生成部５４は、ＴＬＶストリーム１００１からサービス選局に必要な情報をサービス情報取得部５２を介して取得することができたか否かを判定する（ステップＳＴ６）。
【００６３】
なお、ステップＳＴ５およびステップＳＴ６は、ステップＳＴ２およびステップＳＴ３と処理対象となるＴＬＶストリームが異なるだけでその他の動作は同様であるため、具体的な説明は割愛する。
【００６４】
上記の動作の例として、たとえば、周波数情報設定部５３には、ユーザーによって設定されたデフォルトＴＬＶを受信するための周波数のほかに、デフォルトＴＬＶを伝送する中継器に対応するあらかじめ定められたデフォルト周波数が格納されている。
【００６５】
そして、選局要求部２０２の要求によって、選局要求部２０１の要求で既に選択された、ユーザーによって設定されたデフォルトＴＬＶを受信するための周波数ではなく、デフォルト周波数を選択する。
【００６６】
このように選局要求部２０２が動作することによって、デフォルトＴＬＶを伝送する中継器が変更されていない場合にユーザーが誤ってデフォルトＴＬＶを受信するための周波数を変更してしまったとしても、サービスリスト生成部５４は、選局要求部２０２の要求によってデフォルト周波数で受信されるＴＬＶストリーム１００１から、サービス選局に必要な情報をサービス情報取得部５２を介して取得することができる。
【００６７】
そして、サービスリスト生成部５４は、ＴＬＶストリーム１０００またはＴＬＶストリーム１００１からサービス選局に必要な情報をサービス情報取得部５２を介して取得することができた場合、サービスリストを生成する（ステップＳＴ７）。なお、ＴＬＶストリーム１００１からもサービス選局に必要な情報を取得することができなかった場合は、処理を終了する。
【００６８】
サービスリストの生成に関して、具体的には、たとえば、ＴＬＶ−ＮＩＴに含まれるサービスリスト記述子から当該ネットワークで伝送されるサービスリストを生成する。本実施の形態に関する放送受信装置は、このサービスリストに基づき、サービス選局を行うことができる。なお、サービス選局の詳細は割愛する。
【００６９】
このように構成されることによって、あらかじめ定められたサービス選局に必要な情報が多重化された放送ストリームとしてのデフォルトＴＬＶを伝送する周波数が変更されていない場合に、ユーザーが誤ってデフォルトＴＬＶを受信するための周波数を変更してしまったとしても、選局要求部２０２の要求によって、選局要求部２０１の要求で既に選局された周波数および放送ストリームを識別するための識別子としてのＴＬＶ＿ｓｔｒｅａｍ＿ｉｄとは、いずれか一方が異なる組み合わせの周波数およびＴＬＶ＿ｓｔｒｅａｍ＿ｉｄを用いる選局を行うことができる。
【００７０】
そして、選局要求部２０２の要求によって受信された放送ストリームとしてのＴＬＶストリーム１００１から、サービス選局に必要な情報を取得することができる。よって、ユーザーの利便性が向上する。
【００７１】
また、たとえば、ユーザーによって設定されたデフォルトＴＬＶを受信するための周波数では、そもそもデジタル放送信号が送出されていない可能性もある。デジタル放送信号が送出されていない周波数を選局した場合、サービスリスト生成部５４は、サービス選局に必要な情報をサービス情報取得部５２を介して取得することができなくなってしまう。
【００７２】
しかしながら、ユーザーによって設定されたデフォルトＴＬＶを受信するための周波数で何らかのＴＬＶストリーム（すなわち、デフォルトＴＬＶとは異なるＴＬＶ＿ｓｔｒｅａｍ＿ｉｄで識別されるＴＬＶストリーム）が伝送されていれば、サービスリスト生成部５４は、当該ＴＬＶストリームに含まれるデフォルトＴＬＶ＿ｓｔｒｅａｍ＿ｉｄとは異なるＴＬＶ＿ｓｔｒｅａｍ＿ｉｄを選択することによって、サービス選局に必要な情報をサービス情報取得部５２を介して取得することができる。
【００７３】
言い換えれば、サービスリスト生成部５４が、より確実にサービス選局に必要な情報を取得することができるようにするためには、ユーザーによって設定されたデフォルトＴＬＶを受信するための周波数においてデフォルトＴＬＶとは異なるＴＬＶストリームが伝送されており、かつ、選局要求部２０２の要求が、ユーザーによって設定された周波数と当該周波数で伝送されるＴＬＶストリームおよび対応するＴＬＶ＿ｓｔｒｅａｍ＿ｉｄのうち、選局要求部２０１の要求で既に選択されたデフォルトＴＬＶ＿ｓｔｒｅａｍ＿ｉｄとは異なるＴＬＶ＿ｓｔｒｅａｍ＿ｉｄを選択するものであればよい。
【００７４】
図２は、ユーザーによって設定されたデフォルトＴＬＶを受信するための周波数において、何らかのＴＬＶストリームが伝送されていることを確認することができる、周波数情報設定画面の構成の例を示す図である。
【００７５】
図２に例が示されるように、周波数情報設定画面１００には、デフォルトＴＬＶを受信するための周波数情報を表示する周波数情報表示領域１０１と、周波数情報表示領域１０１に表示されている周波数情報の受信状態を表示する受信状態表示領域１０２とが表示されている。
【００７６】
このように構成された周波数情報設定画面１００は、グラフィックス表示部５６で生成される。そして、生成された周波数情報設定画面１００は、グラフィックス重畳部８０で映像データに重畳されて、映像出力部９０から出力される。そして、当該映像は、映像表示装置（ここでは、図示しない）にＧＵＩとして表示される。
【００７７】
図２に例が示される周波数情報表示領域１０１は、周波数の選択を兼ねており、周波数情報表示領域１０１において選択された周波数でのアンテナ受信レベルが、受信状態表示領域１０２に表示される。
【００７８】
このように構成されることによって、ユーザーは、デフォルトＴＬＶを受信するための周波数を変更する際に、変更後の周波数においてデジタル放送信号が送出され、かつ、何らかのＴＬＶストリームおよび対応するＴＬＶ＿ｓｔｒｅａｍ＿ｉｄが伝送されていることを確認した上で、周波数を変更することができる。
【００７９】
このように構成することによって、選局要求部２０１の要求で選択された周波数とＴＬＶ＿ｓｔｒｅａｍ＿ｉｄとの組み合わせで、サービス選局に必要な情報を取得することができなかった場合でも、選局要求部２０１の要求で選択された周波数には、何らかのＴＬＶストリームおよび対応するＴＬＶ＿ｓｔｒｅａｍ＿ｉｄが伝送されていることを周波数情報設定画面１００を用いて確認することができる。
【００８０】
そして、選局要求部２０２の要求では、選局要求部２０１の要求で選択された周波数に含まれるＴＬＶストリームおよび対応するＴＬＶ＿ｓｔｒｅａｍ＿ｉｄのうち、選局要求部２０１の要求で選択されたＴＬＶ＿ｓｔｒｅａｍ＿ｉｄとは異なるＴＬＶ＿ｓｔｒｅａｍ＿ｉｄを選択することによって、サービスリスト生成部５４が、当該ＴＬＶ＿ｓｔｒｅａｍ＿ｉｄに対応するＴＬＶストリームに含まれるサービス選局に必要な情報をサービス情報取得部５２を介して取得することができる。
【００８１】
選局要求部２０２の要求によって選択するＴＬＶ＿ｓｔｒｅａｍ＿ｉｄをこのように定めることによって、ユーザーが誤って設定した周波数において伝送されているＴＬＶストリームのうち、デフォルトＴＬＶとは異なるＴＬＶ＿ｓｔｒｅａｍ＿ｉｄに対応するＴＬＶストリームを受信することが可能となる。これによって、サービスリスト生成部５４が、当該ＴＬＶストリームからサービス選局に必要な情報をサービス情報取得部５２を介して取得することができる。
【００８２】
このように構成することによって、あらかじめ定められたサービス選局に必要な情報が多重化された放送ストリームを伝送する周波数が変更されていない場合に、ユーザーがあらかじめ定められたサービス選局に必要な情報が多重化された放送ストリームを受信するための周波数を変更する場合であっても、何らかの放送ストリームを受信することが可能な周波数を確認して、周波数を変更することができる。
【００８３】
さらに、選局要求部２０２の要求で、当該周波数で伝送されているあらかじめ定められたサービス選局に必要な情報が多重化された放送ストリームの識別子とは別の識別子で伝送されている放送ストリームを選局することによって、当該放送ストリームからサービス選局に必要な情報を取得することができる。そのため、ユーザーの利便性が向上するという効果がある。
【００８４】
また、たとえば、選局要求部２０１の要求によって選択された周波数で、何らかのＴＬＶストリームおよび対応するＴＬＶ＿ｓｔｒｅａｍ＿ｉｄが伝送されているものの、デフォルトＴＬＶおよび対応するＴＬＶ＿ｓｔｒｅａｍ＿ｉｄが伝送されていないため、サービスリスト生成部５４が、サービス選局に必要な情報を取得することができないことも考えられる。
【００８５】
そこで、選局要求部２０２は、周波数情報設定部５３によって設定された周波数情報から特定される中継器における、相対ストリーム番号が最も小さいものを選択することが考えられる。
【００８６】
たとえば、ＴＬＶ＿ｓｔｒｅａｍ＿ｉｄは１６ビットの値である。そのうち、ビット１５、ビット１４、ビット１３およびビット１２は、ｎｅｔｗｏｒｋ＿ｉｄの下位４ビットが割り付けられる。また、ビット８、ビット７、ビット６、ビット５およびビット４は、当該ＴＬＶストリームが伝送される中継器の番号が割り付けられる。また、ビット３は、ゼロが割り付けられる。また、ビット２、ビット１およびビット０は、同一中継器で伝送されるＴＬＶストリームに対し、そのＴＬＶストリーム内に含まれる放送事業者に与えられたスロット番号（原則として、相対ストリーム番号と同じ値）の最も小さいものから値が割り付けられる。
【００８７】
たとえば、ＴＬＶ＿ｓｔｒｅａｍ＿ｉｄのビット２、ビット１およびビット０をゼロとすることで、当該中継器から伝送されるＴＬＶストリームのうちの相対ストリーム番号が最も小さいものをＴＬＶ＿ｓｔｒｅａｍ＿ｉｄを特定することができる。
【００８８】
選局要求部２０２の要求によって選択するＴＬＶ＿ｓｔｒｅａｍ＿ｉｄをこのように定めることによって、ユーザーが誤って設定した周波数で伝送されているＴＬＶストリームおよび対応するＴＬＶ＿ｓｔｒｅａｍ＿ｉｄのうち、デフォルトＴＬＶとは異なるＴＬＶ＿ｓｔｒｅａｍ＿ｉｄに対応するＴＬＶストリームを受信することが可能となる。これによって、サービスリスト生成部５４が、サービス選局に必要な情報をサービス情報取得部５２を介して取得することができる。
【００８９】
このように構成されることによって、あらかじめ定められたサービス選局に必要な情報が多重化された放送ストリームとしてのデフォルトＴＬＶを伝送する中継器としての放送伝送装置が変更されていない場合に、ユーザーが誤って周波数を変更してしまったとしても、選局要求部２０２の要求によって、選局要求部２０１の要求で既に選局された周波数において伝送されている、デフォルトＴＬＶとは異なる放送ストリームとしてのＴＬＶストリームを受信することができる。よって、サービスリスト生成部５４は、当該ＴＬＶストリームからサービス選局に必要な情報を取得することができる。そのため、ユーザーの利便性が向上する。
【００９０】
また、上記の、選局中の周波数で伝送されるＴＬＶストリームに対応するＴＬＶ＿ｓｔｒｅａｍ＿ｉｄは、周波数ごとの放送ストリームに関する情報であるＴＭＣＣ情報から取得することもできる。たとえば、選局部５１にＴＭＣＣ情報取得部２０４を備えることによって、選局要求部２０２は、選局部５１に備えるＴＭＣＣ情報取得部２０４が取得した、変調波の伝送制御に関する信号の情報であるｔｒａｎｓｍｉｓｓｉｏｎ  ＆  ｍｕｌｔｉｐｌｅｘｉｎｇ  ｃｏｎｆｉｇｕｒａｔｉｏｎ  ｃｏｎｔｒｏｌ（すなわち、ＴＭＣＣ）情報に基づき、選局中の周波数で伝送される全てのＴＬＶストリームに含まれるＴＬＶ＿ｓｔｒｅａｍ＿ｉｄを特定することができる。
【００９１】
なお、ＴＭＣＣ情報は、チューナー部１０で周波数同期されたデジタル放送信号が、復調部２０において復調処理されて取得される。
【００９２】
選局要求部２０２の要求によって選択するＴＬＶ＿ｓｔｒｅａｍ＿ｉｄをこのように定めることによって、ユーザーが誤って設定した周波数において伝送されているＴＬＶストリームのうち、デフォルトＴＬＶとは異なるＴＬＶ＿ｓｔｒｅａｍ＿ｉｄに対応するＴＬＶストリームを受信することが可能となる。これによって、サービスリスト生成部５４は、サービス選局に必要な情報を取得することができる。
【００９３】
このように構成されることによって、あらかじめ定められたサービス選局に必要な情報が多重化された放送ストリームとしてのデフォルトＴＬＶを伝送する周波数が変更されていない場合に、ユーザーが誤って周波数を変更してしまったとしても、選局要求部２０２の要求によって、選局要求部２０１の要求で既に選択された周波数において伝送されている、デフォルトＴＬＶとは異なるＴＬＶストリームに対応するＴＬＶ＿ｓｔｒｅａｍ＿ｉｄをＴＭＣＣ情報から取得することができる。そして、選局要求部２０２の要求によって、より確実に対応するＴＬＶストリームを受信することができる。そのため、サービスリスト生成部５４は、より確実にサービス選局に必要な情報を取得することができるようになり、ユーザーの利便性が向上する。
【００９４】
以上では、放送受信装置の具体例として、高度広帯域衛星デジタル放送を受信する装置が説明されたが、高度広帯域衛星デジタル放送の場合に限られず、サービス選局に必要な情報が多重化された放送ストリームを伝送する周波数および当該放送ストリームを識別するための情報があらかじめ定められており、購入設置時に、サービス選局に必要な情報を当該放送ストリームから取得してサービスリストを生成することによってサービス選局が可能となる放送であれば、他の放送受信装置にも適用可能である。
【００９５】
＜放送受信装置のハードウェア構成について＞
図４および図５は、図１に例示される放送受信装置の制御部を実際に運用する場合のハードウェア構成を概略的に例示する図である。
【００９６】
なお、図４および図５に例示されるハードウェア構成は、図１に例示される構成とは数などが整合しない場合があるが、これは図１に例示される構成が概念的な単位を示すものであることに起因する。
【００９７】
よって、少なくとも、図１に例示される１つの構成が、図４および図５に例示される複数のハードウェア構成から成る場合と、図１に例示される１つの構成が、図４および図５に例示されるハードウェア構成の一部に対応する場合と、さらには、図１に例示される複数の構成が、図４および図５に例示される１つのハードウェア構成に備えられる場合とが想定され得る。
【００９８】
また、図４および図５に例示されるハードウェア構成は、図１に例示される放送受信装置の概念的な構成を具体化して例示するものである。したがって、図４および図５には、図１に例示される放送受信装置の概念的な構成に対応するハードウェア構成に加えて、新たなハードウェア構成が追加される場合があるが、新たに追加されるそれらのハードウェア構成が備えられない場合であっても、本実施の形態に関する放送受信装置は成立し得る。
【００９９】
図４では、図１中の制御部５０を実現するためのハードウェア構成として、演算を行う処理回路１０２Ａと、情報を記憶することができる記憶装置１０３とが示される。
【０１００】
図５では、図１中の制御部５０を実現するためのハードウェア構成として、演算を行う処理回路１０２Ｂが示される。
【０１０１】
記憶装置１０３は、たとえば、ハードディスクドライブ（Ｈａｒｄ  ｄｉｓｋ  ｄｒｉｖｅ、すなわちＨＤＤ）、ランダムアクセスメモリー（ｒａｎｄｏｍ  ａｃｃｅｓｓ  ｍｅｍｏｒｙ、すなわちＲＡＭ）、リードオンリーメモリー（ｒｅａｄ  ｏｎｌｙ  ｍｅｍｏｒｙ、すなわちＲＯＭ）、フラッシュメモリー、ｅｒａｓａｂｌｅ  ｐｒｏｇｒａｍｍａｂｌｅ  ｒｅａｄ  ｏｎｌｙ  ｍｅｍｏｒｙ（ＥＰＲＯＭ）およびｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ（ＥＥＰＲＯＭ）などの、揮発性または不揮発性の半導体メモリー、磁気ディスク、フレキシブルディスク、光ディスク、コンパクトディスク、ミニディスクまたはＤＶＤなどを含むメモリー（記憶媒体）、または、今後使用されるあらゆる記憶媒体であってもよい。
【０１０２】
処理回路１０２Ａは、記憶装置１０３、外部のＣＤ−ＲＯＭ、外部のＤＶＤ−ＲＯＭ、または、外部のフラッシュメモリーなどに格納されたプログラムを実行するものであってもよい。すなわち、たとえば、中央演算処理装置（ｃｅｎｔｒａｌ  ｐｒｏｃｅｓｓｉｎｇ  ｕｎｉｔ、すなわちＣＰＵ）、マイクロプロセッサ、マイクロコンピュ―タ、デジタルシグナルプロセッサ（ｄｉｇｉｔａｌ  ｓｉｇｎａｌ  ｐｒｏｃｅｓｓｏｒ、すなわちＤＳＰ）であってもよい。
【０１０３】
処理回路１０２Ａが記憶装置１０３、外部のＣＤ−ＲＯＭ、外部のＤＶＤ−ＲＯＭ、または、外部のフラッシュメモリーなどに格納されたプログラムを実行するものである場合、制御部５０は、記憶装置１０３に格納されたプログラムが処理回路１０２Ａによって実行されるソフトウェア、ファームウェアまたはソフトウェアとファームウェアとの組み合わせにより実現される。なお、制御部５０の機能は、たとえば、複数の処理回路が連携することによって実現されてもよい。
【０１０４】
ソフトウェアおよびファームウェアはプログラムとして記述され、記憶装置１０３に記憶されるものであってもよい。その場合、処理回路１０２Ａは、記憶装置１０３に格納されたプログラムを読み出して実行することによって、上記の機能を実現する。すなわち、記憶装置１０３は、処理回路１０２Ａに実行されることによって、上記の機能が結果的に実現されるプログラムを記憶するものであってもよい。
【０１０５】
また、処理回路１０２Ｂは、専用のハードウェアであってもよい。すなわち、たとえば、単一回路、複合回路、プログラム化されたプロセッサ、並列プログラム化されたプロセッサ、集積回路（ａｐｐｌｉｃａｔｉｏｎ  ｓｐｅｃｉｆｉｃ  ｉｎｔｅｇｒａｔｅｄ  ｃｉｒｃｕｉｔ、すなわちＡＳＩＣ）、ｆｉｅｌｄ−ｐｒｏｇｒａｍｍａｂｌｅ  ｇａｔｅ  ａｒｒａｙ（ＦＰＧＡ）またはこれらを組み合わせた回路であってもよい。
【０１０６】
処理回路１０２Ｂが専用のハードウェアである場合、制御部５０は、処理回路１０２Ｂが動作することにより実現される。なお、制御部５０の機能は、別々の回路で実現されてもよいし、単一の回路で実現されてもよい。
【０１０７】
なお、制御部５０の機能は、一部が記憶装置１０３に格納されたプログラムを実行するものである処理回路１０２Ａにおいて実現され、一部が専用のハードウェアである処理回路１０２Ｂにおいて実現されてもよい。
【０１０８】
＜以上に記載された実施の形態によって生じる効果について＞
次に、以上に記載された実施の形態によって生じる効果の例を示す。なお、以下の説明においては、以上に記載された実施の形態に例が示された具体的な構成に基づいて当該効果が記載されるが、同様の効果が生じる範囲で、本願明細書に例が示される他の具体的な構成と置き換えられてもよい。
【０１０９】
以上に記載された実施の形態によれば、デジタル放送を受信する放送受信装置は、周波数設定部１５３と、識別子指定部１５４と、サービス情報取得部１５２と、判定部１６３と、生成部１５５とを備える。ここで、周波数設定部１５３は、たとえば、周波数情報設定部５３に対応するものである。また、識別子指定部１５４は、たとえば、選局要求部２０１および選局要求部２０２のうちの少なくとも一方に対応するものである。また、判定部１６３は、たとえば、チャンネル情報取得可否判定部２０３に対応するものである。また、生成部１５５は、たとえば、サービスリスト生成部５４におけるサービスリストを生成する機能に対応するものである。周波数情報設定部５３は、デジタル放送の放送ストリームを受信するための周波数を設定する。選局要求部２０１および選局要求部２０２は、放送ストリームを識別するための識別子を指定する。サービス情報取得部５２は、周波数および識別子に基づいて選局された放送ストリームから、サービス情報を取得する。ここで、サービス情報とは、放送ストリームに多重化される情報であり、かつ、サービス選局に必要な情報である。チャンネル情報取得可否判定部２０３は、サービス情報取得部５２において、サービス情報が取得されたか否かを判定する。サービスリスト生成部５４は、サービス情報に基づいてサービスリストを生成する。そして、チャンネル情報取得可否判定部２０３においてサービス情報が取得されなかったと判定された場合、サービス情報取得部５２は、いずれか一方が変更された周波数および識別子に基づいて選局された放送ストリームから、再度サービス情報を取得する。
【０１１０】
また、以上に記載された実施の形態によれば、放送受信装置は、プログラムを実行する処理回路１０２Ａと、実行されるプログラムを記憶する記憶装置１０３とを備える。そして、処理回路１０２Ａがプログラムを実行することによって、以下の動作が実現される。
【０１１１】
すなわち、デジタル放送の放送ストリームを受信するための周波数が設定される。また、放送ストリームを識別するための識別子が指定される。そして、周波数および識別子に基づいて選局された放送ストリームから、サービス情報が取得される。そして、サービス情報が取得されたか否かが判定される。そして、サービス情報に基づいてサービスリストが生成される。ここで、サービス情報が取得されなかったと判定された場合、いずれか一方が変更された周波数および識別子に基づいて選局された放送ストリームから、再度サービス情報が取得される。
【０１１２】
また、以上に記載された実施の形態によれば、放送受信装置は、専用のハードウェアである処理回路１０２Ｂを備える。そして、専用のハードウェアである処理回路１０２Ｂは、以下の動作を行う。
【０１１３】
すなわち、専用のハードウェアである処理回路１０２Ｂは、デジタル放送の放送ストリームを受信するための周波数を設定する。また、放送ストリームを識別するための識別子を指定する。そして、周波数および識別子に基づいて選局された放送ストリームから、サービス情報を取得する。そして、サービス情報が取得されたか否かを判定する。そして、サービス情報に基づいてサービスリストを生成する。ここで、サービス情報が取得されなかったと判定された場合、いずれか一方が変更された周波数および識別子に基づいて選局された放送ストリームから、再度サービス情報を取得する。
【０１１４】
このような構成によれば、デフォルトＴＬＶおよび対応するＴＬＶ＿ｓｔｒｅａｍ＿ｉｄを伝送する周波数が変更されていない場合に、ユーザーが誤って周波数を変更してしまったとしても、いずれか一方が変更された周波数および識別子に基づいて選局された放送ストリームから、再度サービス情報を取得することができる。そのため、ユーザーの利便性が向上する。
【０１１５】
なお、これらの構成以外の本願明細書に例が示される他の構成については適宜省略することができる。すなわち、少なくともこれらの構成を備えていれば、以上に記載された効果を生じさせることができる。
【０１１６】
しかしながら、本願明細書に例が示される他の構成のうちの少なくとも１つを、以上に記載された構成に適宜追加した場合、すなわち、以上に記載された構成としては言及されなかった本願明細書に例が示される他の構成が適宜追加された場合であっても、同様の効果を生じさせることができる。
【０１１７】
また、以上に記載された実施の形態によれば、周波数情報設定部５３は、デフォルト放送ストリームが伝送される周波数であるデフォルト周波数と、ユーザーによって設定された周波数とを設定可能である。このような構成によれば、ユーザーが誤って周波数を変更した場合であっても、デフォルト周波数に設定周波数を戻すことができるため、デフォルト周波数において伝送されるデフォルトＴＬＶを受信することができる。そして、当該デフォルトＴＬＶから、再度サービス情報を取得することができる。
【０１１８】
また、以上に記載された実施の形態によれば、チャンネル情報取得可否判定部２０３においてサービス情報が取得されなかったと判定された場合、サービス情報取得部５２は、デフォルト周波数に変更された周波数に基づいて選局された放送ストリームから、再度サービス情報を取得する。このような構成によれば、ユーザーが誤って周波数を変更した場合であっても、デフォルト周波数に設定周波数を戻した上で対応するＴＬＶ＿ｓｔｒｅａｍ＿ｉｄで識別されるＴＬＶストリームを受信することができる。そして、当該ＴＬＶストリームから、再度サービス情報を取得することができる。
【０１１９】
また、以上に記載された実施の形態によれば、選局要求部２０１および選局要求部２０２は、デフォルト放送ストリームを識別するためのデフォルト識別子を指定可能である。そして、チャンネル情報取得可否判定部２０３においてサービス情報が取得されなかったと判定された場合、サービス情報取得部５２は、デフォルト識別子とは異なる識別子に変更された識別子に基づいて選局された放送ストリームから、再度サービス情報を取得する。このような構成によれば、ユーザーが誤って周波数を変更した場合であっても、変更された周波数において、デフォルトＴＬＶに対応するＴＬＶ＿ｓｔｒｅａｍ＿ｉｄとは異なるＴＬＶ＿ｓｔｒｅａｍ＿ｉｄで識別されるＴＬＶストリームを受信することができる。そして、当該ＴＬＶストリームから、再度サービス情報を取得することができる。
【０１２０】
また、以上に記載された実施の形態によれば、デフォルト識別子とは異なる識別子に変更された識別子は、周波数から特定される放送受信装置６０における相対ストリーム番号のうち、最も小さい番号に対応する放送ストリームの識別子である。このような構成によれば、ユーザーが誤って周波数を変更した場合であっても、変更された周波数において、デフォルトＴＬＶに対応するＴＬＶ＿ｓｔｒｅａｍ＿ｉｄとは異なる、相対ストリーム番号の最も小さい番号に対応するＴＬＶストリームを受信することができる。そして、当該ＴＬＶストリームから、再度サービス情報を取得することができる。なお、相対ストリーム番号は、その周波数帯において小さい順に割り当てられる番号であるため、相対ストリーム番号の最も小さい番号に対応するＴＬＶストリームを選択することによって、ＴＬＶストリームを受信する確度が高まる。
【０１２１】
また、以上に記載された実施の形態によれば、放送受信装置は、周波数における放送ストリームに関するＴＭＣＣ情報を取得するＴＭＣＣ情報取得部２０４を備える。そして、デフォルト識別子とは異なる識別子に変更された識別子は、ＴＭＣＣ情報に基づいて特定される放送ストリームの識別子である。このような構成によれば、ユーザーが誤って周波数を変更した場合であっても、変更された周波数において、デフォルトＴＬＶに対応するＴＬＶ＿ｓｔｒｅａｍ＿ｉｄとは異なるＴＬＶ＿ｓｔｒｅａｍ＿ｉｄで識別されるＴＬＶストリームをＴＭＣＣ情報に基づいて特定することができる。そして、当該ＴＬＶストリームから、再度サービス情報を取得することができる。
【０１２２】
また、以上に記載された実施の形態によれば、周波数情報設定部５３は、周波数表示部と、受信状態表示部とを備える。ここで、周波数表示部は、たとえば、周波数情報表示領域１０１に対応するものである。また、受信状態表示部は、たとえば、受信状態表示領域１０２に対応するものである。周波数情報表示領域１０１は、放送ストリームを受信するための周波数を表示する。受信状態表示領域１０２は、周波数情報表示領域１０１に表示された周波数の受信状態を表示する。このような構成によれば、ユーザーは、デフォルトＴＬＶを受信するための周波数を変更する際に、変更後の周波数においてデジタル放送信号が送出され、かつ、何らかのＴＬＶストリームおよび対応するＴＬＶ＿ｓｔｒｅａｍ＿ｉｄが伝送されていることを確認した上で、周波数を変更することができる。
【０１２３】
＜以上に記載された実施の形態における変形例について＞
以上に記載された実施の形態では、それぞれの構成要素の寸法、形状、相対的配置関係または実施の条件などについても記載する場合があるが、これらはすべての局面においてひとつの例であって、本願明細書に記載されたものに限られることはないものとする。
【０１２４】
したがって、例が示されていない無数の変形例、および、均等物が、本願明細書に開示される技術の範囲内において想定される。たとえば、少なくとも１つの構成要素を変形する場合、追加する場合または省略する場合が含まれるものとする。
【０１２５】
また、矛盾が生じない限り、以上に記載された実施の形態において「１つ」備えられるものとして記載された構成要素は、「１つ以上」備えられていてもよいものとする。
【０１２６】
さらに、以上に記載された実施の形態におけるそれぞれの構成要素は概念的な単位であって、本願明細書に開示される技術の範囲内には、１つの構成要素が複数の構造物から成る場合と、１つの構成要素がある構造物の一部に対応する場合と、さらには、複数の構成要素が１つの構造物に備えられる場合とを含むものとする。
【０１２７】
また、以上に記載された実施の形態におけるそれぞれの構成要素には、同一の機能を発揮する限り、他の構造または形状を有する構造物が含まれるものとする。
【０１２８】
また、本願明細書における説明は、本技術に関するすべての目的のために参照され、いずれも、従来技術であると認めるものではない。
【０１２９】
また、以上に記載された実施の形態で記載されたそれぞれの構成要素は、ソフトウェアまたはファームウェアとしても、それと対応するハードウェアとしても想定され、その双方の概念において、それぞれの構成要素は「部」または「処理回路」などと称される。
【符号の説明】
【０１３０】
１０  チューナー部、２０  復調部、３０  データ分離部、５０，１５０  制御部、５１  選局部、５２，１５２  サービス情報取得部、５３  周波数情報設定部、５４  サービスリスト生成部、５５  ユーザーインターフェイス部、５６  グラフィックス表示部、６０，１６０  放送受信装置、７０  映像復号部、７１  音声復号部、８０  グラフィックス重畳部、９０  映像出力部、９１  音声出力部、１００  周波数情報設定画面、１０１  周波数情報表示領域、１０２  受信状態表示領域、１０２Ａ，１０２Ｂ  処理回路、１０３  記憶装置、１５３  周波数設定部、１５４  識別子指定部、１５５  生成部、１６３  判定部、２０１，２０２  選局要求部、２０３  チャンネル情報取得可否判定部、２０４  ＴＭＣＣ情報取得部、１０００，１００１  ＴＬＶストリーム。
【図１】
2019208099.tif 000003
【図２】
2019208099.tif 000004
【図３】
2019208099.tif 000005
【図４】
2019208099.tif 000006
【図５】
2019208099.tif 000007
【図６】
2019208099.tif 000008